(57)【要約】【目的】  本発明は、ケース内で結束バンドによりケーブルの第１端部を結束する際に、ケーブルの移動を防止でき且つ結束作業の作業性を向上させるコネクタを提供する。【構成】  コネクタは、ケーブル１００と、コンタクト３００ａと、結束バンド５００と、第１、第２ケース７００ａ、７００ｂとを備えている。コンタクト３００ａはケーブル１００に接続されている。結束バンド５００は、係合孔５１１を有するヘッド５１０と、ケーブル１００の第１端部１０１を結束し且つ係合孔５１１に係合されたストラップ５２０とを有している。第１ケース７００ａは、ストラップ５２０を収容した第１凹部７４０ａと、第１凹部７４０ａのＹ方向に設けられ且つケーブル１００の第１端部１０１を収容し且つ位置決め保持した第２凹部７５０ａと、第１凹部７４０ａのＸ方向に設けられ且つヘッド５１０が収容された収容孔７６０ａとを有している。【選択図】      図２Ｂ
2014059985.tif 000002
【特許請求の範囲】
【請求項１】
長さ方向の第１端部を有するケーブルと、
前記ケーブルに接続された接続部と、
係合孔を有するヘッドと、前記ケーブルの前記第１端部を結束し且つ前記ヘッドの前記係合孔に係合されたストラップとを有する結束バンドと、
互いに組み合わされ、前記ケーブルの前記第１端部、前記接続部及び前記結束バンドを収容する第１、第２ケースとを備えており、
前記第１ケースは、前記長さ方向に直交する直交方向に延びており且つ前記結束バンドのストラップを部分的に収容した第１凹部と、
前記第１凹部の前記長さ方向の一方側及び他方側の少なくとも一方に設けられており、前記直交方向の寸法が前記ケーブルの前記第１端部の外径よりも若干大きく且つ前記ケーブルの前記第１端部を部分的に収容保持した第２凹部と、
前記第１凹部の前記直交方向の一方側に当該第１凹部と連通するように設けられており且つ当該第１ケースの内部から外部にかけて貫通した収容孔とを有しており、前記収容孔に前記結束バンドの前記ヘッドが収容されているコネクタ。
【請求項２】
請求項１記載のコネクタにおいて、
前記第１凹部の前記長さ方向の寸法が、前記結束バンドの幅寸法よりも若干大きく、
前記収容孔の内形が、前記ヘッドの外形よりも若干大きいコネクタ。
【請求項３】
請求項２記載のコネクタにおいて、
前記第２凹部が前記第１凹部の前記長さ方向の一方側及び他方側に設けられており、
前記第１凹部が前記第２凹部の間に配置されているコネクタ。
【請求項４】
請求項１〜３の何れかに記載のコネクタにおいて、
前記第２ケースは、前記結束バンドのストラップを部分的に収容しており且つ前記長さ方向の寸法が前記結束バンドの幅寸法よりも若干大きい第１凹部と、
当該第２ケースの前記第１凹部の前記長さ方向の一方側及び他方側の少なくとも一方に設けられており、前記直交方向の寸法が前記ケーブルの前記第１端部の外径よりも若干大きく且つ前記ケーブルの前記第１端部を部分的に収容保持した第２凹部とを有するコネクタ。
【請求項５】
請求項１〜４の何れかに記載のコネクタにおいて、
前記第１ケースの収容孔は、当該第１ケースの外部側の外側開口を有しており、
前記結束バンドの前記ストラップの先端面は、切断面であり且つ前記収容孔の前記外側開口から露出しているコネクタ。
【請求項６】
請求項１〜５の何れかに記載のコネクタにおいて、
前記ケーブルは、外側絶縁体と、
前記外側絶縁体内に配置された複数の信号線とを有しており、
前記接続部は複数であり、当該接続部は、前記信号線を挟持し且つ当該信号線に接続された前記二股状のテール部を有しているコネクタ。
【発明の詳細な説明】
【技術分野】
【０００１】
本発明は、結束バンドを内蔵したコネクタに関する。
【背景技術】
【０００２】
この種のコネクタは下記特許文献１及び２に記載されている。特許文献１に記載されたコネクタを第１コネクタ、特許文献２に記載されたコネクタを第２コネクタと称する。第１、第２コネクタは、ケーブルと、結束バンドと、ケースとを有している。
【０００３】
第１コネクタは、結束バンドのストラップがケーブルの長さ方向の第１端部に巻き回され、ヘッドの係合孔に係合されている。これにより、結束バンドがケーブルの第１端部を結束している。ケースには、凹部と、この凹部の底に設けられ且つ当該凹部とケースの外部とを繋ぐ孔とが設けられている。結束バンドのヘッドがケースの凹部に嵌合し、ストラップのヘッドの係合孔からから導出する部分（導出部）がケースの孔に挿入されている。
【０００４】
第１コネクタは、結束バンドのストラップをケーブルの第１端部に巻きまわし、当該ストラップをヘッドの係合孔に係合させることにより、結束バンドをケーブルの第１端部に仮締めさせる。この仮締め状態で、結束バンド及びケーブルの第１端部をケース内に入れ、結束バンドのストラップの導出部をケースの孔に挿入し、ヘッドをケースの凹部に嵌合させる。その後、ストラップの導出部を引っ張り、当該ストラップを更に締めることにより、結束バンドがケーブルの第１端部をケース内で結束する。
【０００５】
第２コネクタは、ケースにブロック及び凹部が設けられている。結束バンドのストラップがケーブルの長さ方向の第１端部及びケースのブロックに巻きまわされ、ヘッドの係合孔に係合されている。これにより、結束バンドがケーブルの第１端部及びブロックを結束している。結束バンドのヘッドは、ケースの凹部に嵌合し、ストラップのヘッドの係合孔から導出した部分（導出部）がケースの凹部からケース外部に導出している。
【０００６】
第２コネクタは、結束バンドをケースに入れ、結束バンドのヘッドをケースの凹部に嵌合させる。その後、ケーブルの第１端部をケース内に入れ、結束バンドのストラップをケーブルの第１端部及びブロックに巻きまわし、当該ストラップをヘッドの係合孔に係合させることにより、結束バンドでケーブルの第１端部及びブロックを結束する。
【先行技術文献】
【特許文献】
【０００７】
【特許文献１】特開２００２−１１８９３６号公報
【特許文献２】実開昭５６−６２６８３号公報
【発明の概要】
【発明が解決しようとする課題】
【０００８】
第１コネクタは、結束バンドのヘッドがケースの凹部に嵌合しているが、ケーブルの第１端部がケース内で位置決め固定されていない。このため、結束バンドのストラップを引っ張って、ケース内で当該結束バンドによりケーブルの第１端部を結束するときに、ケーブルが結束バンドのヘッド側に移動し、ケーブルとそのケーブルの接続対象との接続部位に負荷がかかることがあった。
【０００９】
一方、第２コネクタは、ケーブルをケースのブロックに当接させておけば、ケース内で結束バンドのストラップを引っ張ってケーブルの第１端部を結束するときに、ケーブルが移動するのを防ぐことができる。しかし、ケース内でストラップを結束バンドのストラップをケーブルの第１端部及びブロックに巻きまわし、当該ストラップをヘッドの係合孔に係合させなければならないため、ケーブルの結束作業が困難になる。
【００１０】
本発明は、上記事情に鑑みて創案されたものであって、その目的とするところは、ケース内で結束バンドによりケーブルの第１端部を結束するときに、ケーブルの移動を防止でき且つ結束作業の作業性を向上させることができるコネクタを提供することにある。
【課題を解決するための手段】
【００１１】
上記課題を解決するために、本発明のコネクタは、ケーブルと、接続部と、結束バンドと、第１、第２ケースとを備えている。前記ケーブルは、長さ方向の第１端部を有している。前記接続部は前記ケーブルに接続されている。前記結束バンドは、係合孔を有するヘッドと、前記ケーブルの前記第１端部を結束し且つ前記ヘッドの前記係合孔に係合されたストラップとを有している。前記第１、第２ケースは、互いに組み合わされ、前記ケーブルの前記第１端部、前記接続部及び前記結束バンドを収容している。前記第１ケースは、第１、第２凹部と、収容孔とを有している。前記第１凹部は、前記長さ方向に直交する直交方向に延びており且つ前記結束バンドのストラップを部分的に収容している。前記第２凹部は、前記第１凹部の前記長さ方向の一方側及び他方側の少なくとも一方に設けられている。前記第２凹部の前記直交方向の寸法が前記ケーブルの前記第１端部の外径よりも若干大きい。前記第２凹部は、前記ケーブルの前記第１端部を部分的に収容保持している。前記収容孔は、前記第１凹部の前記直交方向の一方側に設けられており且つ当該第１ケースの内部から外部にかけて貫通している。前記収容孔に前記結束バンドの前記ヘッドが収容されている。
【００１２】
このような態様のコネクタによる場合、第１凹部が直交方向に延びている。収容孔が第１凹部の直交方向の一方側に設けられている。ケーブルの第１端部が仮締めした結束バンドのストラップの一部を第１凹部に部分的に収容され、ヘッドが収容孔に収容されている。このため、結束バンドのストラップの係合孔から導出した部分を引っ張り、第１、第２ケース内において、当該結束バンドでケーブルの第１端部を結束するときに、結束バンドのストラップの係合孔から導出した部分が直交方向の一方側に引っ張られることとなる。一方、ケーブルの第１端部は、直交方向の寸法が前記ケーブルの前記第１端部の外径よりも若干大きい第２凹部に収容保持されている。すなわち、ケーブルの第１端部は第２凹部に直交方向に位置決め保持されている。このため、結束時に、ケーブルの第１端部が第１、第２ケース内で直交方向に移動するのを防止することができる。よって、ケーブルと接続部との接続部位に負荷がかかるのを防止することができ且つ結束バンドの結束作業が容易になる。しかも、ケーブルの第１端部を第２凹部に、結束バンドのストラップを第１凹部に、結束バンドのヘッドを収容孔に収容させるだけで、結束バンドのケーブルに対する位置決めを容易に行うことができる。よって、結束バンドのケーブルに対する結束位置のバラツキを抑制することができる。
【００１３】
前記第１凹部の前記長さ方向の寸法が、前記結束バンドの幅寸法よりも若干大きくすることが可能である。前記収容孔の内形が、前記ヘッドの外形よりも若干大きくすることが可能である。
【００１４】
このような態様のコネクタによる場合、結束バンドのストラップの係合孔から導出した部分を引っ張るときに、ストラップが第１凹部にガイドされると共に、ヘッドが収容孔に位置決め保持される。よって、結束バンドの結束作業が更に容易になる。しかも、結束バンドのストラップが第１凹部に、ヘッドが収容孔に位置決め保持されているので、当該結束バンドに結束されたケーブルの引っ張り強度を向上させることができる。
【００１５】
前記第２凹部が前記第１凹部の前記長さ方向の一方側及び他方側に設けられた構成とすることが可能である。前記第１凹部が前記第２凹部の間に配置された構成とすることが可能である。
【００１６】
このような態様のコネクタによる場合、前記第１凹部が前記第２凹部の間に配置されているので、結束バンドに結束されたケーブルの引っ張り強度を更に向上させることができる。
【００１７】
前記第２ケースは、第１、第２凹部を有する構成とすることが可能である。前記第２ケースの第１凹部は、前記結束バンドのストラップを部分的に収容しており且つ前記長さ方向の寸法が前記結束バンドの幅寸法よりも若干大きい。前記第２ケースの第２凹部は、前記第１凹部の前記長さ方向の一方側及び他方側の少なくとも一方に設けられている。前記第２凹部の前記直交方向の寸法が前記ケーブルの前記第１端部の外径よりも若干大きい。前記第２凹部は、前記ケーブルの前記第１端部を部分的に収容保持している。
【００１８】
このような態様のコネクタによる場合、結束バンドのストラップの係合孔から導出した部分を引っ張るときに、ストラップが第１、第２ケースの第１凹部にガイドされる。よって、結束バンドの結束作業が更に容易になる。しかも、結束バンドのストラップが第１、第２ケースの第１凹部に前記長さ方向において位置決め保持され、ケーブルの第１端部が第１、第２ケースの第２凹部に直交方向に位置決め保持されるので、当該結束バンドに結束されたケーブルの引っ張り強度を向上させることができる。
【００１９】
前記第１ケースの収容孔は、当該第１ケースの外部側の外側開口を有する構成とすることが可能である。前記結束バンドの前記ストラップの先端面は、切断面であり且つ前記収容孔の前記外側開口から露出した構成とすることが可能である。
【００２０】
ヘッドの切断面が収容孔の壁面を向いている場合、収容孔の外側開口から導出されたストラップを切断することが困難になる。しかし、上述した態様のコネクタによる場合、ヘッドの切断面が収容孔の外側開口から露出している。すなわち、切断前のストラップが収容孔の外側開口から導出されているので、当該ストラップをヘッド近傍で容易に切断することができる。特に、結束バンドを結束するための結束工具を用いて、ストラップをヘッド近傍で切断し易くなる。
【００２１】
前記ケーブルは、外側絶縁体と、前記外側絶縁体内に配置された複数の信号線とを有する構成とすることが可能である。前記接続部は複数とすることが可能である。当該接続部は、前記信号線を挟持し且つ当該信号線に接続された前記二股状のテール部を有する構成とすることが可能である。
【００２２】
このような態様のコネクタによる場合、仮に、ケーブルの信号線と接続部との接続部位に負荷がかかっても、当該接続部位の接続が解除される等の不具合の発生を抑制することができる。
【図面の簡単な説明】
【００２３】
【図１Ａ】本発明の実施例に係るコネクタの正面、平面及び右側面から表した斜視図である。
【図１Ｂ】前記コネクタの背面、底面及び右側面から表した斜視図である。
【図２Ａ】前記コネクタの図１Ａ中の２Ａ−２Ａ断面図である。
【図２Ｂ】前記コネクタの図１Ａ中の２Ｂ−２Ｂ断面図である。
【図２Ｃ】前記コネクタの図１Ａ中の２Ｃ−２Ｃ断面図である。
【図３Ａ】前記コネクタの背面、平面及び左側面から表した分解斜視図である。
【図３Ｂ】前記コネクタの正面、底面及び左側面から表した分解斜視図である。
【図４Ａ】前記コネクタのケーブル、第１〜第３ボディ、コンタクト、係止部及び結束バンドの正面、平面及び右側面から表した斜視図である。
【図４Ｂ】前記コネクタのケーブル、第１〜第３ボディ、コンタクト、係止部及び結束バンドの背面、底面及び右側面から表した斜視図である。
【図５Ａ】前記コネクタのケーブル、第１〜第３ボディ、コンタクト、係止部及び結束バンドの正面、平面及び右側面から表した分解斜視図である。
【図５Ｂ】前記コネクタのケーブル、第１〜第３ボディ、コンタクト、係止部及び結束バンドの背面、底面及び右側面から表した分解斜視図である。
【図６Ａ】前記コネクタのケーブル、第２〜第３ボディ、コンタクト、係止部及び結束バンドの背面、平面及び左側面から表した斜視図であって、第２ボディを第３ボディに取り付ける前の状態を示す図である。
【図６Ｂ】前記コネクタのケーブル、第２〜第３ボディ、コンタクト、係止部及び結束バンドの正面、底面及び左側面から表した斜視図であって、第２ボディを第３ボディに取り付ける前の状態を示す図である。
【発明を実施するための形態】
【００２４】
以下、本発明の実施例に係るコネクタについて図１Ａ〜図６Ｂを参照しつつ説明する。前記コネクタは、ケーブル１００と、複数のコンタクト２００ａ（接続部）と、複数のコンタクト２００ｂと、コンタクト２００ｃと、一対の係止部３００と、第１、第２、第３ボディ４００ａ、４００ｂ、４００ｃと、結束バンド５００と、シールドカバー６００と、第１、第２ケース７００ａ、７００ｂとを備えている。以下、前記コネクタの構成要素について詳しく説明する。なお、図２Ａ〜図２Ｂ、図３Ａ〜図３Ｂ及び図５Ａ〜図５Ｂに示すＹは、前記コネクタ及びケーブル１００の長さ方向である。図２Ｂ〜図２Ｃ、図３Ａ〜図３Ｂ及び図５Ａ〜図５Ｂに示すＸは、前記コネクタの幅方向及びケーブル１００の長さ方向に直交する直交方向である。図２Ａ、図２Ｂ、図３Ａ〜図３Ｂ及び図５Ａ〜図５Ｂに示すＺは、前記コネクタの高さ方向である。Ｘ方向はＹ方向に直交し、Ｚ方向は、Ｘ方向及びＹ方向に直交している。
【００２５】
ケーブル１００は、図２Ａ〜図２Ｃ、図３Ａ〜図３Ｂ及び図５Ａ〜図５Ｂに示すように、複数の信号線１１０と、図示しないシールド導体と、外側絶縁体１２０とを有している。信号線１１０は、芯線と、前記芯線を覆う絶縁体とを有している。シールド導体は、全ての信号線１１０を覆う筒状である。外側絶縁体１２０は、シールド導体を覆う筒状である。すなわち、信号線１１０は、シールド導体及び外側絶縁体１２０内に配置されている。ケーブル１００の長さ方向の第１端部１０１において、信号線１１０の長さ方向の第１端部がシールド導体及び外側絶縁体１２０から突出している。なお、図２Ｃにおいて、ケーブル１００の第１端部１０１の内部構造が図示省略されている。
【００２６】
結束バンド５００は、図２Ａ〜図２Ｃ、図３Ａ〜〜図６Ｂに示すように、ヘッド５１０と、ストラップ５２０とを有している。ヘッド５１０は、当該ヘッド５１０を貫通した係合孔５１１が設けられている。ストラップ５２０は、基端がヘッド５１０に連接されている。ストラップ５２０は、ケーブル１００の第１端部１０１に巻き回され、係合孔５１１に係合されている。これにより、結束バンド５００が、ケーブル１００の第１端部１０１内の信号線１１０を結束している。ストラップ５２０は、係合孔５１１から導出した部分が切断されている。すなわち、ストラップ５２０の先端面が切断面５２１となっている。
【００２７】
第３ボディ４００ｃは、図４Ａ〜図６Ｂに示すように、絶縁樹脂製のブロックである。第３ボディ４００ｃの前端部（Ｙ方向の一端部）の下部には、複数の位置決め凹部４１０ｃがＸ方向に間隔をあけて設けられている。また、第３ボディ４００ｃの後端面（Ｙ方向の他端面）には、複数の位置決め穴４２０ｃがＸ方向に間隔をあけて設けられている。位置決め穴４２０ｃは、後側（Ｙ方向の他方側）に開口し、Ｙ方向に延び且つ位置決め凹部４２０ｃに連通している。この位置決め凹部４１０ｃ及び位置決め穴４２０ｃに、ケーブル１００の信号線１１０の第１端部が各々挿入され、Ｘ方向に間隔をあけて位置決め保持されている。
【００２８】
第３ボディ４００ｃの前部の上部には、取付凹部４３０ｃが設けられている。取付凹部４３０ｃのＸ方向側の縁部には、係合凹部４３１ｃが各々設けられている。第３ボディ４００ｃには、第１スリット４４０ｃがＸ方向に間隔をあけて設けられている。第１スリット４４０ｃは、第３ボディ４００ｃの後部から取付凹部４３０ｃの底面にかけてＹ方向に延びている。また、取付凹部４３０ｃの底面には、第１スリット４４０ｃと取付凹部４３０ｃの前記縁部との間及び隣り合う第１スリット４４０ｃの間に第２スリット４５０ｃが二つずつ設けられている。第２スリット４５０ｃは、Ｘ方向に延びており且つ位置決め穴４２０ｃに各々連通している。
【００２９】
第２ボディ４００ｂは絶縁樹脂で構成されている。第２ボディ４００ｂには、図４Ａ〜図６Ｂに示すように、コンタクトが、２００ａ、２００ａ、２００ｂ、２００ａ、２００ａ、２００ｂ、２００ａ、２００ａ、２００ｂ、２００ａ、２００ａ、２００ｃの順でＸ方向に間隔をあけて埋め込まれている。第２ボディ４００ｂは、取付部４１０ｂと、一対の当接板４２０ｂと、一対の係止片４３０ｂと、嵌合部４４０ｂとを有している。
【００３０】
取付部４１０ｂは、第２ボディ４００ｂの後端部（Ｙ方向の他端部）に設けられた略矩形状のブロックである。取付部４１０ｂが取付凹部４３０ｃに嵌合している。取付部４１０ｂのＸ方向の両端部には、係合片４１１ｂが各々設けられている。係合片４１１ｂが第３ボディ４００ｃの係合凹部４３１ｃに各々係合されている。
【００３１】
当接板４２０ｂは、取付部４１０ｂの前面のＸ方向の両端部に設けられており且つＺ方向に延びた略矩形状の板である。当接板４２０ｂの前面（Ｙ方向の一端面）には、突起４２１ｂが各々設けられている。取付部４１０ｂの前面の中間部には、嵌合部４４０ｂが突設されている。取付部４１０ｂの下面の中央部には、一対の係止片４３０ｂがＸ方向に間隔をあけて設けられている。係止片４３０ｂは、前側（Ｙ方向の一方側）に延びている。
【００３２】
コンタクト２００ａは、図２Ａ、図２Ｂ及び図４Ａ〜図６Ｂに示すように、略Ｌ字状の金属板である。各コンタクト２００ａは、接点部２１０ａと、テール部２２０ａと、中間部２３０ａとを有している。中間部２３０ａは、接点部２１０ａとテール部２２０ａとの間に位置する板であって、第２ボディ４００ｂ内に埋め込まれている。中間部２３０ａの前端部（Ｙ方向の一端部）は、第２ボディ４００ｂの前面（Ｙ方向の一端面）から、前側（Ｙ方向の一方側）に突出し、中間部２３０ａの後端部（Ｙ方向の他端部）は、第２ボディ４００ｂの取付部４１０ｂの後面（Ｙ方向の他端面）から突出している。接点部２１０ａは、中間部２３０ａの前端に連接され且つ上側に円弧状に湾曲した板である。テール部２２０ａは、中間部２３０ａの後端に連接され且つ中間部２３０ａに対して直角に折り曲げられている。テール部２２０ａは二股状になっている。テール部２２０ａは、第３ボディ４００ｃの対応する第２スリット４５０ｃに挿入されている。この挿入状態で、テール部２２０ａの間にケーブル１００の信号線１１０の第１端部が挟持されている。具体的には、テール部２２０ａが信号線１１０の第１端部の絶縁体を突き破り、当該信号線１１０の芯線を挟持している。これにより、コンタクト２００ａが信号線１１０に電気的に接続されている。
【００３３】
各コンタクト２００ｂは、図２Ｂ及び図４Ａ〜図６Ｂに示すように、コンタクト本体２１０ｂと、遮蔽板２２０ｂとを有している。コンタクト本体２１０ｂは金属板である。コンタクト本体２１０ｂは、接点部２１１ｂと、テール部２１２ｂと、中間部２１３ｂとを有している。中間部２１３ｂは、接点部２１１ｂとテール部２１２ｂとの間に位置する板であって、第２ボディ４００ｂ内に埋め込まれている。中間部２１３ｂの前端部（Ｙ方向の一端部）は、第２ボディ４００ｂの前面（Ｙ方向の一端面）から、前側（Ｙ方向の一方側）に突出している。接点部２１１ｂは、中間部２１３ｂの前端に連接され且つ上側に円弧状に湾曲した板である。テール部２１２ｂは、中間部２３０ａの後端に連接された板である。遮蔽板２２０ｂは金属板である。遮蔽板２２０ｂはコンタクト本体２１０ｂのテール部２１２ｂに取り付けられている。テール部２１２ｂ及び遮蔽板２２０ｂの前端部（Ｙ方向の一端部）が第２ボディ４００ｂの取付部４１０ｂ内に埋め込まれている。すなわち、遮蔽板２２０ｂの前端部以外の部分（以下、突出部）が、取付部４１０ｂの後面のコンタクト２００ａの隣り合うテール部２２０ａの間から後側（Ｙ方向の他方側）に各々突出している。遮蔽板２２０ｂの突出部は、第３ボディ４００ｃの対応する第１スリット４４０ｃに挿入されている。
【００３４】
コンタクト２００ｃは、図２Ｂ及び図４Ａ〜図６Ｂに示すように、金属板である。コンタクト２００ｃは、接点部２１０ｃと、テール部２２０ｃと、中間部２３０ｃとを有している。中間部２３０ｃは、接点部２１０ｃとテール部２２０ｃとの間に位置する板であって、第２ボディ４００ｂ内に埋め込まれている。中間部２３０ｃの前端部（Ｙ方向の一端部）は、第２ボディ４００ｂの前面（Ｙ方向の一端面）から、前側（Ｙ方向の一方側）に突出している。接点部２１０ｃは、中間部２３０ｃの前端に連接され且つ上側に円弧状に湾曲した板である。テール部２２０ｃは、中間部２３０ｃの後端に連接された板であって、第２ボディ４００ｂの取付部４１０ｂ内に埋め込まれている。
【００３５】
第１ボディ４００ａは絶縁樹脂で構成されている。第１ボディ４００ａは、図４Ａ〜図６Ｂに示すように、プレート４１０ａと、ブロック４２０ａと、一対のフランジ４３０ａと、一対の係止片４４０ａと、一対のスリット４５０ａとを有している。プレート４１０ａ、略矩形状の板であって、前端部（Ｙ方向の一端部）の上部に凹部４１３ａが設けられている。プレート４１０ａの前端部には、複数の収容溝４１１ａがＸ方向に間隔をあけて設けられている。収容溝４１１ａは凹部４１３ａに連通している。プレート４１０ａ内の収容溝４１１ａの後側（Ｙ方向の他端側）の部分には、当該収容溝４１１ａに連通する矩形状の嵌合穴４１２ａが設けられている。嵌合穴４１２ａから収容溝４１１ａに、コンタクト２００ａ、２００ｂ、２００ｃの接点部２１０ａ、２１１ｃ、２１０ｃが挿入され且つ当該収容溝４１１ａから上側に露出している。嵌合穴４１２ａには、第２ボディ４００ｂの嵌合部４４０ｂが嵌合している。
【００３６】
ブロック４２０ａは、プレート４１０ａの後端部（Ｙ方向の他端部）に一体的に設けられた略Ｕ字状である。具体的には、ブロック４２０ａの両上端部（Ｚ方向の一端部）の間にプレート４１０ａの後端部が一体的に設けられている。ブロック４２０ａの下端部（Ｚ方向の他端部）には、矩形状の凹部４２１ａが設けられている。ブロック４２０ａの後面（Ｙ方向の他端面）のＸ方向の両端部は、フランジ４３０ａが設けられている。フランジ４３０ａは、ブロック４２０ａのＸ方向の両端面よりも外側に突出した矩形状のブロックである。フランジ４３０ａの後面（Ｙ方向の他端面）には、穴４３１ａが設けられている。この穴４３１ａに、第２ボディ４００ｂの当接板４２０ｂの突起４２１ｂが嵌合し、当接板４２０ｂがフランジ４３０ａに当接している。ブロック４２０ａの後面の中央部には、係止片４４０ａが設けられている。係止片４４０ａは、後側（Ｙ方向の他方側）に延びており、第２ボディ４００ｂの係止片４３０ｂに係止されている。
【００３７】
プレート４１０ａ及びブロック４２０ａのＸ方向の両端部には、一対のスリット４５０ａが設けられている。係止部３００は、図５Ａ〜図６Ａに示すように、略Ｕ字状の金属板であって、スリット４５０ａに挿入され、固着されている。係止部３００は、第１、第２アーム３１０、３２０を有している。第１アーム３１０の長さ寸法は、第２アーム３２０の長さ寸法よりも長い。第１アーム３１０の先端部には、爪３１１が設けられている。第１アーム３１０の基端部には、凸部３１２が設けられている。爪３１１及び凸部３１２は、スリット４５０ａから上方に突出している。
【００３８】
シールドカバー６００は、金属板で構成されている。シールドカバー６００は、図２Ａ、図２Ｂ、図３Ａ及び図３Ｂに示すように、筒６１０と、カバー６２０とを有している。筒６１０の内形は、第１ボディ４００ａのプレート４１０ａの外形に対応した略角筒状である。筒６１０内にプレート４１０ａが嵌合している。カバー６２０は、筒６１０に連接された略Ｕ字状の板であって、第１ボディ４００ａのフランジ４３０ａ、係止片４４０ａ、第２ボディ４００ｂ、第３ボディ４００ｃ及び信号線１１０の第１端部に被せられている。
【００３９】
第１、第２ケース７００ａ、７００ｂは、互いに組み合わされた絶縁樹脂製のケースである。第１ケース７００ａは、図２Ａ〜図３Ｂに示すように、収容凹部７１０ａと、収容部７２０ａと、開口７３０ａと、第１凹部７４０ａと、二つの第２凹部７５０ａと、収容孔７６０ａと、第３凹部７７０ａとを有している。第２ケース７００ｂは、図２Ａ〜図３Ｂに示すように、第１収容部７１０ｂと、第２収容部７２０ｂと、開口７３０ｂと、第１凹部７４０ｂと、二つの第２凹部７５０ｂと、第３凹部７６０ｂと、ボタン７７０ｂとを有している。
【００４０】
収容凹部７１０ａは、第１ケース７００ａの中央部に設けられている。第１収容部７１０ｂは、第２ケース７００ｂの中央部に設けられている。収容凹部７１０ａ及び第１収容部７１０ｂは、互いに連通し、第１収容空間を区画する。この第１収容空間に、シールドカバー６００のカバー６２０、第１ボディ４００ａのフランジ４３０ａ、係止片４４０ａ、第２ボディ４００ｂ、第３ボディ４００ｃ、コンタクト２００ａ、２００ｂ、２００ｃの後端部及び信号線１１０の第１端部が収容されている。
【００４１】
収容部７２０ａは、第１ケース７００ａの収容凹部７１０ａの前側（Ｙ方向の一方側）に設けられ、当該収容凹部７１０ａに連通する空間である。開口７３０ａは、第１ケース７００ａの収容部７２０ａの前側（Ｙ方向の一方側）に設けられている。開口７３０ａは、前側（Ｙ方向の一方側）が第１ケース７００ａの外部に開放され、後側が当該収容部７２０ａに連通している。第２収容部７２０ｂは、第２ケース７００ｂの第１収容部７１０ｂの前側（Ｙ方向の一方側）に設けられ、当該第１収容部７１０ｂに連通する空間である。開口７３０ｂは、前側（Ｙ方向の一方側）が第２ケース７００ｂの外部に開放され、後側が当該第２収容部７２０ｂに連通している。収容部７２０ａ、第２収容部７２０ｂ及び開口７３０ａ、７３０ｂは、互いに連通し、第２収容空間を区画する。この第２収容空間に、シールドカバー６００の筒６１０の後端部、第１ボディ４００ａのプレート４１０ａの後端部、コンタクト２００ａ、２００ｂ、２００ｃの中間部が収容されている。開口７３０ａ、７３０ｂからシールドカバー６００の筒６１０の後端部以外の部分、第１ボディ４００ａのプレート４１０ａの後端部以外の部分、コンタクト２００ａ、２００ｂ、２００ｃの先端部が第１、第２ケース７００ａ、７００ｂ外に突出している。
【００４２】
第３凹部７７０ａは、第１ケース７００ａの収容凹部７１０ａの後側（Ｙ方向の他方側）に設けられ、当該収容凹部７１０ａに連通している。第３凹部７６０ｂは、第２ケース７００ｂの第１収容部７１０ｂの後側（Ｙ方向の他方側）に設けられ、当該第１収容部７１０ｂに連通している。第３凹部７７０ａ、７６０ａは、互いに連通し、ケーブル収容空間を区画する。このケーブル収容空間に、ケーブル１００の第１端部１０１が部分的に収容されている。
【００４３】
第１凹部７４０ａは、第１ケース７００ａの第３凹部７７０ａの後側（Ｙ方向の他方側）に設けられている。第１凹部７４０ｂは、第２ケース７００ｂの第３凹部７６０ｂの後側（Ｙ方向の他方側）に設けられている。第１凹部７４０ａ、７４０ｂは、Ｘ方向（直交方向）に延びている。第１凹部７４０ａ、７４０ｂのＹ方向の寸法は、結束バンド５００のストラップ５２０の幅寸法よりも若干大きい。第１凹部７４０ａ、７４０ｂに結束バンド５００のストラップ５２０が挿入され、Ｙ方向において位置決め保持されている。
【００４４】
第２凹部７５０ａのうちの一方の第２凹部７５０ａは、第１ケース７００ａの第１凹部７４０ａのＹ方向の一方側に設けられ且つ第１凹部７４０ａ及び第３凹部７７０ａに連通している。他方の第２凹部７５０ａは第１ケース７００ａの第１凹部７４０ａのＹ方向の他方側に設けられ且つ第１凹部７４０ａに連通している。他方の第２凹部７５０ａは、後側（Ｙ方向の他方側）が第１ケース７００ａ外部に開放されている。第２凹部７５０ｂのうちの一方の第２凹部７５０ｂは、第２ケース７００ｂの第１凹部７４０ｂのＹ方向の一方側に設けられ且つ第１凹部７４０ｂ及び第３凹部７６０ｂに連通している。他方の第２凹部７５０ｂは第２ケース７００ｂの第１凹部７４０ｂのＹ方向の他方側に設けられ且つ第１凹部７４０ｂに連通している。他方の第２凹部７５０ｂは、後側（Ｙ方向の他方側）が第２ケース７００ｂ外部に開放されている。第２凹部７５０ａ、７５０ｂは円弧状の凹部である。第２凹部７５０ａ、７５０ｂのＸ方向の寸法は、ケーブル１００の外径よりも若干大きい。第２凹部７５０ａ、７５０ｂに、ケーブル１００の第１端部１０１が部分的に収容され、当該ケーブル１００の半径方向（Ｘ方向及びＺ方向を含む方向）において位置決め保持されている。
【００４５】
収容孔７６０ａは、第１ケース７００ａの第１凹部７４０ａのＸ方向（直交方向）の一方側に設けられ且つ第１凹部７４０ａに連通している。収容孔７６０ａは、第１ケース７００ａの内部から外部にかけて貫通した貫通孔であって、外側開口７６１ａと、内側開口７６２ａとを有している。収容孔７６０ａの内形は、結束バンド５００のヘッド５１０の外形よりも若干大きい。収容孔７６０ａに、結束バンド５００のヘッド５１０が収容され、Ｘ方向及びＹ方向において位置決め保持されている。この収容状態で、ヘッド５１０の係合孔５１１は、その長さ方向が収容孔７６０ａの貫通方向に略沿うように配置され、ストラップ５２０の切断面５２１が収容孔７６０ａの外側開口７６１ａから露出している。切断面５２１はヘッド５１０の近傍に位置する。ヘッド５１０及び切断面５２１は、図２Ｃに示すように、収容孔７６０ａから第１ケース７００ａの外部に突出していない。
【００４６】
ボタン７７０ｂは、第１収容部７１０ｂ及び第２収容部７２０ｂの底部に設けられている。このボタン７７０ｂの先端部には、図２Ａに示すように、係止部３００の第１アーム３１０の凸部３１２上に配置された凸状の押下部７７１ｂが設けられている。ボタン７７０ｂが押下されることにより、押下部７７１ｂが凸部３１２を押下する。これにより、第１アーム３１０が押し下げられ、第１アーム３１０の爪３１１が下方に移動するようになっている。
【００４７】
以下、上述したコネクタの製造方法について詳しく説明する。まず、コンタクト２００ａ、コンタクト２００ｂのコンタクト２００ｂ及びコンタクト２００ｃを用意する。コンタクト２００ｂは、コンタクト本体２１０ｂのテール部２１３ｂに遮蔽板２２０ｂが固着されている。その後、図示しない金型内に前記コンタクトを、２００ａ、２００ａ、２００ｂ、２００ａ、２００ａ、２００ｂ、２００ａ、２００ａ、２００ｂ、２００ａ、２００ａ、２００ｃの順でＸ方向に間隔をあけて配置する。その後、前記金型内に絶縁樹脂を射出し、当該絶縁樹脂にコンタクト２００ａの中間部２３０ａ、コンタクト２００ｂのコンタクト本体２１０ｂの中間部２１３ｂと、テール部２１３ｂ及び遮蔽板２２０ｂの前端部と、コンタクト２００ｃの中間部２３０ｃ及びテール部２２０ｃとをインサート成形する。硬化した絶縁樹脂が第２ボディ４００ｂとなる。このようにして第２ボディ４００ｂに前記コンタクトが前述の配列順で埋め込まれる。
【００４８】
その一方で、ケーブル１００及び第３ボディ４００ｃを用意する。ケーブル１００は、第１端部１０１の外側絶縁体１２０及びシールド導体はカットされ、信号線１１０が突出している。その後、第３ボディ４００ｃの位置決め穴４２０ｃ及び位置決め凹部４１０ｃに信号線１１０を各々挿入する。これにより、信号線１１０が第３ボディ４００ｃにＸ方向に間隔をあけて位置決め保持される。
【００４９】
その後、第２ボディ４００ｂの取付部４１０ｂを第３ボディ４００ｃの取付凹部４３０ｃに嵌合させる。このとき、取付部４１０ｂの係合片４１１ｂが第３ボディ４００ｃの係合凹部４３１ｃに各々係合される。これと共に、コンタクト２００ａのテール部２２０ａが、第３ボディ４００ｃの第２スリット４５０ｃに各々挿入され、テール部２２０ａが信号線１１０の絶縁体を突き破り、芯線を挟持する。これにより、コンタクト２００ａとケーブル１００の信号線１１０とが電気的に接続される。コンタクト２００ｂの遮蔽板２２０ｂの上記突出部が、第３ボディ４００ｃの第１スリット４４０ｃに各々挿入される。これにより、遮蔽板２２０ｂが、図２Ｂ、図５Ａ及び図５Ｂに示すように、二つのコンタクト２００ａのテール部２２０ａ及び信号線１１０の間に配置される。
【００５０】
その後、第１ボディ４００ａ及び係止部３００を用意する。その後、係止部３００を第１ボディ４００ａのスリット４５０ａに各々挿入し、固着させる。すると、係止部３００の爪３１１及び凸部３１２が、スリット４５０ａから上方に突出する。
【００５１】
その後、第１ボディ４００ａの嵌合穴４１２ａから収容溝４１１ａに、コンタクト２００ａ、２００ｂ、２００ｃの接点部２１０ａ、２１１ｂ、２１０ｃを挿入する。これと共に、第１ボディ４００ａの嵌合穴４１２ａに、第２ボディ４００ｂの嵌合部４４０ｂを嵌合させる。すると、第２ボディ４００ｂの当接板４２０ｂの突起４２１ｂがフランジ４３０ａの穴４３１ａに嵌合し、当接板４２０ｂがフランジ４３０ａに当接する。これと共に、第１ボディ４００ａの係止片４４０ａが、第２ボディ４００ｂの係止片４３０ｂに係止される。
【００５２】
その後、シールドカバー６００を用意する。その後、第１ボディ４００ａのプレート４１０ａをシールドカバー６００の筒６１０に挿入する。すると、シールドカバー６００のカバー６２０が、第１ボディ４００ａのフランジ４３０ａ、係止片４４０ａ、第２ボディ４００ｂ、第３ボディ４００ｃ及び信号線１１０の第１端部に被せられる。
【００５３】
その後、結束バンドを用意する。この結束バンドは、ストラップが切断されていない点のみで結束バンド５００と相違している。その後、前記結束バンドのストラップをケーブル１００の第１端部１０１に巻きまわし、当該結束バンドのヘッドの係合孔に挿入する。これにより、前記結束バンドのストラップがケーブル１００の第１端部１０１を仮締めする。
【００５４】
その後、第１ケース７００ａを用意する。その後、第１ケース７００ａの収容凹部７１０ａに、シールドカバー６００のカバー６２０、第１ボディ４００ａのフランジ４３０ａ、係止片４４０ａ、第２ボディ４００ｂ、第３ボディ４００ｃ、コンタクト２００ａ、２００ｂ、２００ｃの後端部及び信号線１１０の第１端部を挿入する。これと共に、第１ケース７００ａの収容部７２０ａ及び開口７３０ａに、シールドカバー６００の筒６１０の後端部、第１ボディ４００ａのプレート４１０ａの後端部、コンタクト２００ａ、２００ｂ、２００ｃの中間部を挿入する。開口７３０ａからシールドカバー６００の筒６１０の後端部以外の部分、第１ボディ４００ａのプレート４１０ａの後端部以外の部分、コンタクト２００ａ、２００ｂ、２００ｃの先端部が突出する。
【００５５】
このとき、第１ケース７００ａの収容孔７６０ａに、前記結束バンドのストラップの係合孔から導出した部分（以下、導出部）を挿入し、当該結束バンドのヘッドを収容させる。これにより、前記ヘッドが収容孔７６０ａに位置決め保持され、前記ストラップの導出部が収容孔７６０ａから第１ケース７００ａ外部に突出する。これと共に、第１ケース７００ａの第１凹部７４０ａに前記結束バンドのストラップを部分的に挿入し、第１ケース７００ａの第２凹部７５０ａ及び第３凹部７７０ａにケーブル１００の第１端部１０１を部分的に挿入する。これにより、前記ストラップが第１凹部７４０ａにＹ方向に位置決め保持され、ケーブル１００の第１端部１０１が第２凹部７５０ａにＸ方向に位置決め保持される。
【００５６】
その後、第２ケース７００ｂを用意する。その後、第２ケース７００ｂを第１ケース７００ａに組み合わせる。すると、第２ケース７００ｂの第１収容部７１０ｂにシールドカバー６００のカバー６２０、第１ボディ４００ａのフランジ４３０ａ、係止片４４０ａ、第２ボディ４００ｂ、第３ボディ４００ｃ、コンタクト２００ａ、２００ｂ、２００ｃの後端部及び信号線１１０の第１端部が挿入される。第２ケース７００ｂの第２収容部７２０ｂ及び開口７３０ｂに、シールドカバー６００の筒６１０の後端部、第１ボディ４００ａのプレート４１０ａの後端部、コンタクト２００ａ、２００ｂ、２００ｃの中間部が挿入される。開口７３０ｂからシールドカバー６００の筒６１０の後端部以外の部分、第１ボディ４００ａのプレート４１０ａの後端部以外の部分、コンタクト２００ａ、２００ｂ、２００ｃの先端部が突出する。第２ケース７００ｂの第１凹部７４０ｂに前記結束バンドのストラップが部分的に挿入され、第２ケース７００ｂの第２凹部７５０ｂ及び第３凹部７６０ｂにケーブル１００の第１端部１０１が部分的に挿入される。これによっても、前記ストラップが第１凹部７４０ｂにＹ方向に位置決め保持され、ケーブル１００の第１端部１０１が第２凹部７５０ｂにＸ方向に位置決め保持される。
【００５７】
その後、前記結束バンドのストラップの導出部を結束バンド用結束工具（例えば、ヘラマウントタイトン社製のタイメイト（登録商標））を用いて引っ張って更に締め、切断する。このとき、前記ストラップが第１凹部７４０ａ、７４０ｂによりＹ方向への移動が規制される一方、Ｘ方向の一方側への移動が許容される（すなわち、Ｘ方向にガイドされる）。前記ストラップの導出部が切断された前記結束バンドが結束バンド５００となる。結束バンド５００のストラップ５２０の切断された面が切断面５２１となる。このようにして第１、第２ケース７００ａ、７００ｂ内で、結束バンド５００によりケーブル１００の第１端部１０１内の信号線１１０が結束される。なお、結束工具を用いず、前記結束バンドのストラップの導出部を作業者がＸ方向の一方側に引っ張り、当該結束バンドにより、ケーブル１００の第１端部１０１内の信号線１１０を結束した後に、ハサミ等の工具を用いて前記導出部を切断することも可能である。
【００５８】
以上のようなコネクタによる場合、結束バンド５００は、結束時に、第１、第２ケース７００ａ、７００ｂの第１凹部７４０ａ、７４０ｂにガイドされ、Ｘ方向に引っ張られる。一方、ケーブル１００の第１端部１０１が第１、第２ケース７００ａ、７００ｂの第２凹部７５０ａ、７５０ｂに半径方向（Ｘ方向を含む。）において位置決め保持されている。よって、第１、第２ケース７００ａ、７００ｂ内で結束バンド５００によりケーブル１００の第１端部１０１を結束するときに、ケーブル１００の第１端部１０１が第１、第２ケース７００ａ、７００ｂ内でＸ方向に移動するのを防止することができるので、ケーブル１００の信号線１１０とコンタクト２００ａとの接続部位に負荷がかかるのを防止することができ且つ結束バンドの結束作業が容易になる。
【００５９】
また、ケーブル１００の信号線１１０は、コンタクト２００ａの二股状のテール部２２０ａに挟持されているので、万が一、ケーブル１００の信号線１１０とコンタクト２００ａとの接続部位に負荷がかかっても、当該接続部位の接続が解除される等の不具合の発生を抑制することができる。
【００６０】
ストラップ５２０の切断面５２１が収容孔７６０ａの外側開口７６１ａから露出している。すなわち、切断前のストラップが収容孔７６０ａの外側開口７６１ａから導出されているので、当該ストラップをヘッド５１０近傍で容易に切断することができる。特に、結束バンド５００を結束するための結束工具を用いて、ストラップをヘッド近傍で切断し易くなる。
【００６１】
しかも、第１凹部７４０ａ及び収容孔７６０ａが第２凹部７５０ａの間に設けられている。第１凹部７４０ａに結束バンド５００のストラップ５２０がＹ方向において位置規制され、収容孔７６０ａに結束バンド５００のヘッド５１０がＸ方向及びＹ方向において位置規制されている。第２凹部７５０ａ、７５０ｂにケーブル１００の第１端部１０１が半径方向において位置規制される。よって、ケーブル１００の引っ張り強度を向上させることができる。
【００６２】
更に、ケーブル１００の第１端部１０１を第２凹部７５０ａ、７５０ｂに、結束バンド５００のストラップ５２０を第１凹部７４０ａ、７４０ｂに、結束バンド５００のヘッド５１０を収容孔７６０ａに収容させるだけで、結束バンド５００のケーブル１００に対する位置決めを容易に行うことができる。よって、結束バンド５００のケーブル１００に対する結束位置のバラツキを抑制することができる。
【００６３】
なお、上述したコネクタは、上記実施例に限定されるものではなく、特許請求の範囲の記載範囲において任意に設計変更することが可能である。以下、詳しく述べる。
【００６４】
上記実施例では、第１ケース７００ａは、収容凹部７１０ａと、収容部７２０ａと、開口７３０ａと、第１凹部７４０ａと、二つの第２凹部７５０ａと、収容孔７６０ａと、第３凹部７７０ａとを有しているとした。しかし、第１ケースは、第２ケースと組み合わされ、ケーブルの第１端部、コンタクト及び結束バンドを収容することができ且つ後述する第１、第２凹部及び収容孔を有する限り任意に設計変更することが可能である。
【００６５】
上記実施例では、第１凹部７４０ａは、Ｙ方向の寸法が結束バンド５００のストラップ５２０の幅寸法よりも若干大きいとした。しかし、第１凹部は、結束バンドのストラップが部分的に挿入される限り任意に設計変更することが可能である。
【００６６】
上記実施例では、第２凹部７５０ａは、第１凹部７４０ａのＹ方向の一方側及び他方側に設けられているとした。しかし、第２凹部７５０ａは、第１凹部７４０ａのＹ方向の一方側及び他方側の少なくとも一方に設けられていれば良い。
【００６７】
上記実施例では、収容孔７６０ａは、第１ケース７００ａの第１凹部７４０ａのＸ方向の一方側に設けられ、第１ケース７００ａの内部から外部にかけて貫通した貫通孔であって、収容孔７６０ａの内形が結束バンド５００のヘッド５１０の外形よりも若干大きいとした。しかし、収容孔は、第１凹部の前記長さ方向に直交する方向の一方側に当該第１凹部と連通するように設けられ、当該第１ケースの内部から外部にかけて貫通した孔であって、結束バンドのヘッドが収容可能である限り任意に設計変更することが可能である。
【００６８】
上記実施例では、第２ケース７００ｂは、第１凹部７４０ｂ及び第２凹部７５０ｂを有しているとした。しかし、第２ケースは、第１ケースと組み合わされ、ケーブルの第１端部、コンタクト及び結束バンドを収容し得る限り任意に設計変更することが可能である。よって、第１凹部７４０ｂ、第２凹部７５０ｂ、第３凹部７６０ｂ及び／又はボタン７７０ｂは省略可能である。
【００６９】
上記実施例では、ケーブル１００は、複数の信号線１１０を備えているとした。しかし、ケーブルは、これに限定されるものではない。ケーブルは、複数種類の信号線を有する複合ケーブルに設計変更することが可能である。また、ケーブルは、単線のケーブルに設計変更することも可能である。
【００７０】
上記実施例では、信号線１１０に接続されたコンタクト２００ａが特許請求の範囲の接続部に相当するとした。しかし、接続部は、ケーブルと接続される限り任意に設計変更することが可能である。例えば、接続部は、ケーブル又はケーブルの信号線に接続される基板やボディに形成された導電ラインに設計変更することが可能である。この場合、基板及び導電ラインが、コンタクトに接続された構成とすることが可能である。また、上記実施例ではコンタクト２００ａの二股状のテール部２２０ａが、信号線１１０を挟持しているとした。しかし、コンタクトのテール部を半田接続等によって、ケーブル又はケーブルの信号線に接続することが可能である。すなわち、テール部は二股状に限定されない。
【００７１】
上記実施例では、コネクタは、第１、第２、第３ボディ４００ａ、４００ｂ、４００ｃを備えているとした。しかし、コネクタは、コンタクト等の接続部を保持する少なくとも一つのボディを備えていれば良い。
【００７２】
シールドカバー６００及び／又は係止部３００は省略可能である。
【００７３】
なお、上記実施例では、コネクタの各部を構成する素材、形状、寸法、数及び配置等はその一例を説明したものであって、同様の機能を実現し得る限り任意に設計変更することが可能である。
【符号の説明】
【００７４】
１００・・・・・ケーブル
１０１・・・・第１端部
１１０・・・・信号線
１２０・・・・外側絶縁体
２００ａ・・・・コンタクト（接続部）
２１０ａ・・・接点部
２２０ａ・・・テール部
２３０ａ・・・中間部
２００ｂ・・・・コンタクト
２１０ｂ・・・コンタクト本体
２１１ｂ・・接点部
２１２ｂ・・テール部
２１３ｂ・・中間部
２２０ｂ・・・遮蔽板
２００ｃ・・・・コンタクト
２１０ｃ・・・接点部
２２０ｃ・・・テール部
２３０ｃ・・・中間部
３００・・・・・係止部
４００ａ・・・・第１ボディ
４００ｂ・・・・第２ボディ
４００ｃ・・・・第３ボディ
５００・・・・・結束バンド
５１０・・・・ヘッド
５１１・・・係合孔
６００・・・・・シールドカバー
７００ａ・・・・第１ケース
７１０ａ・・・収容凹部
７２０ａ・・・収容部
７３０ａ・・・開口
７４０ａ・・・第１凹部
７５０ａ・・・第２凹部
７６０ａ・・・収容孔
７７０ａ・・・第３凹部
７００ｂ・・・・第２ケース
７１０ｂ・・・第１収容部
７２０ｂ・・・第２収容部
７３０ｂ・・・開口
７４０ｂ・・・第１凹部
７５０ｂ・・・第２凹部
７６０ｂ・・・第３凹部
７７０ｂ・・・ボタン
【図１Ａ】
2014059985.tif 000003
【図１Ｂ】
2014059985.tif 000004
【図２Ａ】
2014059985.tif 000005
【図２Ｂ】
2014059985.tif 000006
【図２Ｃ】
2014059985.tif 000007
【図３Ａ】
2014059985.tif 000008
【図３Ｂ】
2014059985.tif 000009
【図４Ａ】
2014059985.tif 000010
【図４Ｂ】
2014059985.tif 000011
【図５Ａ】
2014059985.tif 000012
【図５Ｂ】
2014059985.tif 000013
【図６Ａ】
2014059985.tif 000014
【図６Ｂ】
2014059985.tif 000015